(57)【要約】      （修正有）【課題】人物を撮影した画像を基に手間をかけずにその人物の傾向に合った衣服を探せるようにする。【解決手段】画像処理装置１は、カメラ２から人物の撮影画像を服装画像として取得し、取得した複数の服装画像を参照してその人物の服装の傾向を推定し、ＥＣサイトに推定した服装の傾向を送信し、ＥＣサイトは、この服装の傾向に基づき、公開してる各種の商品の中から、ユーザの好みに合った衣服をレコメンド情報として選択し、選択した衣服の情報を出力する。【選択図】図１
2017076315.tif 000002
【特許請求の範囲】
【請求項１】
人物の撮影画像を服装画像として取得する取得手段と、
前記取得手段により取得された複数の服装画像を参照してその人物の服装の傾向を推定する推定手段と、
前記推定手段により推定された人物の服装の傾向に基づき、複数の衣服の中からその人物に関する衣服を選択する選択手段と、
前記選択手段により選択された衣服の情報を出力する出力手段と、
を備えることを特徴とする画像処理装置。
【請求項２】
撮像手段を更に備え、
前記取得手段は、前記撮像手段により撮影された人物画像を服装画像として取得する、
ことを特徴とする請求項１に記載の画像処理装置。
【請求項３】
前記撮像手段は、人物の外出着を撮影可能な位置に設置されている、
ことを特徴とする請求項２に記載の画像処理装置。
【請求項４】
前記取得手段は、人物の服装の特徴を強調するように前記撮像手段を制御して服装画像を取得する、
ことを特徴とする請求項２又は３に記載の画像処理装置。
【請求項５】
前記取得手段は、人物の顔よりその服装の特徴の強調を優先するように、前記撮像手段を制御して服装画像を取得する、
ことを特徴とする請求項４に記載の画像処理装置。
【請求項６】
前記取得手段は、撮影される画像の彩度又はコントラストが高くなるように、前記撮像手段を制御して服装画像を取得する、
ことを特徴とする請求項５に記載の画像処理装置。
【請求項７】
前記撮像手段により撮像された画像から人体の形状を特定し、この特定した人体の形状から服装の識別に適切な服装画像を取得するのに適切なタイミングであるか否かを判別するタイミング判別手段を更に備え、
前記取得手段は、前記タイミング判別手段により適切なタイミングであると判別されたタイミングで服装画像を取得する、
ことを特徴とする請求項２又は３に記載の画像処理装置。
【請求項８】
前記タイミング判別手段は、前記特定した人体の形状からその胴体に腕が重なっていないと判定される場合に、適切なタイミングであると判別する、
ことを特徴とする請求項７に記載の画像処理装置。
【請求項９】
前記タイミング判別手段は、前記特定した人体の形状が正面を向いていると判定される場合に、適切なタイミングであると判別する、
ことを特徴とする請求項７に記載の画像処理装置。
【請求項１０】
前記撮像手段により撮像された画像から人体の領域を特定し、特定した人体の領域における肌色である領域の比率を算出する算出手段を更に備え、
前記取得手段は、前記算出手段により算出される肌色領域の比率が所定の閾値以上である場合に、服装画像を取得しない、
ことを特徴とする請求項２又は３に記載の画像処理装置。
【請求項１１】
前記算出手段は、前記撮像手段により撮像された画像から人体の顔領域を特定し、その人体の顔領域から肌色を特定し、その特定された肌色を使用して、人体の領域における肌色である領域の比率を算出する、
ことを特徴とする請求項１０に記載の画像処理装置。
【請求項１２】
前記撮像手段により撮像された人物の服装が撮影済みの画像の服装と一致するか否かを判別する一致判別手段を更に備え、
前記取得手段は、前記一致判別手段により撮影済みの画像と服装が一致すると判別された場合に、その服装画像を取得することに代えて、撮影済みの画像を撮影した日付とは異なる日にその服装がされたことを記憶する、
ことを特徴とする請求項２又は３に記載の画像処理装置。
【請求項１３】
前記撮像手段により撮像された人物の画像を評価して、服装の差異を判定するのに適している度合いを求める評価手段を更に備え、
前記取得手段は、前記一致判別手段により撮影済みの画像と一致すると判別された場合に、前記評価手段により評価された度合いを比較して、撮影済みの画像よりも今回の画像の方が高い場合は、今回の画像を撮影して、撮影済み画像と置き換える、
ことを特徴とする請求項２又は３に記載の画像処理装置。
【請求項１４】
前記撮像手段により撮像された人物の画像を評価して、服装の差異を判定するのに適している度合いを求める評価手段を更に備え、
前記取得手段は、前記評価手段により評価された度合いを更に取得する、
ことを特徴とする請求項２又は３に記載の画像処理装置。
【請求項１５】
前記撮像手段により撮像された画像から衣服の領域を特定し、特定した衣服の領域において色が異なると判別される境界線を抽出する抽出手段を更に備え、
前記取得手段は、前記抽出手段により抽出された境界線に係る情報を更に取得する、
ことを特徴とする請求項２又は３に記載の画像処理装置。
【請求項１６】
前記選択手段は、予め任意に設定されている所定の選択範囲にある複数の衣服の中からその人物に関する衣服を選択する、
ことを特徴とする請求項１乃至１５のいずれか１項に記載の画像処理装置。
【請求項１７】
前記出力手段は、前記選択手段により選択された衣服の情報として、その衣服の画像を人物の画像に合成し、その合成画像を表示手段に出力する、
ことを特徴とする請求項１乃至１６のいずれか１項に記載の画像処理装置。
【請求項１８】
画像処理装置における画像処理方法であって、
人物の撮影画像を服装画像として取得する処理と、
前記取得された複数の服装画像を参照してその人物の服装の傾向を推定する処理と、
前記推定された人物の服装の傾向に基づき、複数の衣服の中からその人物に関する衣服を選択する処理と、
前記選択された衣服の情報を出力する処理と、
を含むことを特徴とする画像処理方法。
【請求項１９】
画像処理装置のコンピュータに対して、
人物の撮影画像を服装画像として取得する機能と、
前記取得された複数の服装画像を参照してその人物の服装の傾向を推定する機能と、
前記推定された人物の服装の傾向に基づき、複数の衣服の中からその人物に関する衣服を選択する機能と、
前記選択された衣服の情報を出力する機能と、
を実現させるためのプログラム。
【発明の詳細な説明】
【技術分野】
【０００１】
本発明は、人物を撮影した画像に基づいて服装に関する処理を行う画像処理装置、画像処理方法及びプログラムに関する。
【背景技術】
【０００２】
近年、衣服を購入するにあたって、ＥＣ（電子商取引）サイトによるＷｅｂ（ワールドワイドウェブ）購入や通販など、実店舗以外から注文して購入するケースが増えている。その場合、Ｗｅｂ上に存在する無数の衣服商品の中から、自分の好みにあった衣服商品を探すことは非常に手間がかかり困難である。
これに対して、特許文献１のように客が購入した商品データを基に、コーディネートの支援を要請する消費者に対してその消費者の好みにあったコーディネート情報を支援する技術が提案されている。また、特許文献２のようにユーザ自らが新規の衣類データを登録することでユーザの好みに合ったコーディネートを作成する技術、更に、自分のプロフィール情報をインターネットを通じて提供することで自分に似合うファッションなどの情報を専門家から得ることを可能とした技術、など数々の技術が提案されている。
【先行技術文献】
【特許文献】
【０００３】
【特許文献１】特開２０１３−１８６４９１号公報
【特許文献２】特開２０１１−８１４８６号公報
【特許文献３】特開２００２−３２４７１号公報
【発明の概要】
【発明が解決しようとする課題】
【０００４】
しかしながら、上述した各特許文献の技術にあっては、実店舗に出向く手間を解消することはできるが、事前の準備を必要とし、自分の好みにあった商品を探し出すまでに時間と手間がかかってしまうという問題は、いまだに解決されてはいない。
【０００５】
本発明の課題は、人物を撮影した画像を基に手間をかけずにその人物の傾向に合った衣服を探すことができるようにすることである。
【課題を解決するための手段】
【０００６】
上述した課題を解決するために本発明は、
人物の撮影画像を服装画像として取得する取得手段と、
前記取得手段により取得された複数の服装画像を参照してその人物の服装の傾向を推定する推定手段と、
前記推定手段により推定された人物の服装の傾向に基づき、複数の衣服の中からその人物に関する衣服を選択する選択手段と、
前記選択手段により選択された衣服の情報を出力する出力手段と、
を備えることを特徴とする画像処理装置である。
【発明の効果】
【０００７】
本発明によれば、人物を撮影した画像を基に手間をかけずにその傾向に合った衣服を探すことができる。
【図面の簡単な説明】
【０００８】
【図１】画像処理装置１の使用例を説明するための図。
【図２】画像処理装置１及びカメラ２の基本的な構成要素を示したブロック図。
【図３】服装データベース１３Ｂ及び画像ファイル１３Ｃを説明するための図。
【図４】電源投入に応じて実行開始されるカメラ２側の動作を示し、主に服装撮影モードに切り替えられた場合の動作を示したフローチャート。
【図５】カメラ２から撮像画像を受信する毎に実行開始される画像処理装置１側の動作を示したフローチャート。
【図６】画像取得記録処理（図５のステップＢ１０）を詳述するためのフローチャート。
【図７】ユーザ操作による衣服レコメンド要求に応じて実行開始される画像処理装置１側の動作を示したフローチャート。
【図８】（１）は、特定サイトがＷｅｂ上で公開している各種の商品を例示した図、（２）は、レコメンド商品として選択した衣服の画像をユーザの人物画像にオーバーレイ表示させた状態を例示した図。
【発明を実施するための形態】
【０００９】
以下、図１〜図８を参照して本発明の実施形態を説明する。
本実施形態は、画像処理装置としてパーソナルコンピュータ（ＰＣ）又は多機能携帯端末装置（スマートフォン）に適用したもので、図１は、画像処理装置１の使用例を説明するための図である。
画像処理装置１は、各種の画像処理を行う機能、インターネット接続機能（Ｗｅｂアクセス機能）、時計機能などを備えている他、別体のカメラ２が撮影した人物の画像に基づいてその人物の服装に関する処理を行う機能を備えている。
【００１０】
この画像処理装置１とカメラ２との間ではそれぞれが利用可能な無線通信を用いてペアリング（無線接続認識）が可能となっており、無線通信としては、例えば、無線ＬＡＮ（Ｗｉ−Ｆｉ：Ｗｉｒｅｌｅｓｓ  Ｆｉｄｅｌｉｔｙ）又はＢｌｕｅｔｏｏｔｈ（登録商標）を使用するようにしている。なお、画像処理装置１とカメラ２とを通信接続した画像処理システム（衣服商品のレコメンドシステム）としてもよいが、本実施形態では、カメラ２を含めて画像処理装置１と呼称するものとする。
【００１１】
カメラ２は、スタンド型鏡（姿見）３の前に居る人物の全身を撮像可能な位置に取り付けられた小型のデジタルカメラであり、図示の例は、スタンド型鏡３の上端中央部に着脱可能に装着した場合を示し、人物の全身の写り具合に応じてその画角を調整可能となっている。そして、カメラ２は、スタンド型鏡３の前で自身の服装を映しているユーザをその正面方向から全身を撮影して、その人物画像を画像処理装置１に送信するもので、普段の生活の中でできるだけ自然にユーザの服装を得るためにスタンド型鏡３にカメラ２を装着するようにしている。なお、スタンド型鏡３の上端中央部にカメラ２を装着する場合に限らず、例えば、スタンド型鏡３の左端又は右端中央部にカメラ２を装着したり、スタンド型鏡３の近傍に装着したりしてもよく、その装着位置は任意である。
【００１２】
この場合、カメラ２は、予め設定されている時間帯（例えば、通勤時間帯又は通学時間帯若しくは在宅時間帯）の間、スタンド型鏡３の前を撮像してその画像を解析することにより人物の有無を検知し、スタンド型鏡３の前に居る人物を検知した際には、その人物を撮影した画像を画像処理装置１に送信するようにしている。なお、カメラ２又はスタンド型鏡（姿見）３に、人物センサ（図示省略）を設け、カメラ２は、このセンサが人物を検知した際に、その人物を撮影するようにしてもよい。
【００１３】
画像処理装置１は、カメラ２によって撮影された画像（人物画像）を服装画像として受信取得して、撮影済み画像として記憶保存しておき、この複数の服装画像（撮影済み画像）を過去に着用していた服装の履歴情報として参照することにより、その人物の服装の傾向（例えば、ユーザの好み）を推定するようにしている。そして、人物の服装の傾向に基づき、予め任意に設定されている所定の選択範囲（例えば、同一季節や同一期間内）にある複数の衣服（例えば、ユーザの好みのＥＣサイトがＷｅｂ上で公開している衣服）の中からその人物に関する衣服（ユーザの好みに合った衣服）を推薦商品（レコメンド商品）として選択して出力するようにしている。この場合、ユーザが実際にレコメンド商品を試着しているようにユーザの人物画像にレコメンド商品をオーバーレイ表示（重畳表示）するようにしている。なお、本実施形態においては、意味的に重複する「服装」と「衣服」とを使用しているが、人物が意志を持って選択して着用している又は着用していた服を「服装」とし、その他の一般的な意味（広義）の服を「衣服」と定義するものとする。
【００１４】
図２は、画像処理装置１及びカメラ２の基本的な構成要素を示したブロック図である。
画像処理装置１において、制御部１１は、電源部１２からの電力供給によって動作し、記憶部１３内の各種のプログラムに応じてこの画像処理装置１の全体動作を制御する中央演算処理装置やメモリなどを有している。記憶部１３は、例えば、ＲＯＭ、フラッシュメモリなどを有する構成で、後述する図５〜図７に示した動作手順に応じて本実施形態を実現するためのプログラムや各種のアプリケーションなどが格納されているプログラムメモリ１３Ａ、後述する服装データベース１３Ｂ、画像ファイル１３Ｃなどを有している。なお、記憶部１３は、例えば、ＳＤカード、ＵＳＢメモリなど、着脱自在な可搬型メモリ（記録メディア）を含む構成であってもよく、図示しないが、通信機能を介してネットワークに接続されている状態においては他のサーバ装置側の記憶領域を含むものであってもよい。
【００１５】
制御部１１には、その入出力デバイスとして、操作部１４、表示部１５、通信部１６が接続されており、制御部１１は、それらの入出力動作を制御する。操作部１４は、各種のキーの他、本実施形態においては、ユーザの好みにあった衣服を推薦するレコメンド要求キー（図示省略）を備えている。表示部１５は、画像などを表示する液晶表示部、有機ＥＬ（Electro  Luminescence）表示部などであり、ユーザの好みに合った衣服をレコメンド情報として表示する。この場合、推薦する衣服をユーザの人物画像に着させる（オーバーレイ表示させる）ようにしている。通信部１６は、高速で大容量な通信が可能な広域通信を介してインターネットに接続可能である他、カメラ２に接続可能な通信インターフェイスである。
【００１６】
本実施形態の画像処理装置１は、インターネットを介してＷｅｂ上のＥＣサイト（ユーザが任意に設定可能な特定サイト）に接続し、この特定サイトがＷｅｂ上で公開している各種の商品（衣服）の中からユーザの好みに合った衣服を選択する際に、過去に着用していた服装の履歴から推定した人物の服装の傾向（例えば、ユーザの好み）を上述の特定サイトにインターネットを介して送信することによって、例えば、同一季節や同一期間内に該当する複数の衣服の中からユーザの好みに合った衣服をレコメンド情報として選択するようにしている。そして、画像処理装置１は、選択した衣服の画像をインターネットを介してダウンロードし、ユーザの人物画像にオーバーレイ表示させる。
【００１７】
カメラ２は、静止画、動画を撮像可能な撮像機能、現在日時を計時する時計機能などを備え、その制御部２１は、電源部２２からの電力供給によって動作し、記憶部２３内の各種のプログラム（後述する図３に示した動作手順に応じて本実施形態を実現するためのプログラムを含む各種のプログラム）に応じてこのカメラ２の全体動作を制御する中央演算処理装置やメモリなどを有している。この制御部２１には、その入出力デバイスとして、操作部２４、表示部２５、撮像部２６、通信部２７が接続されており、それらの入出力動作を制御する。
【００１８】
操作部２４は、電源キー、レリーズキーなど、各種のキーの他に、本実施形態ではスタンド型鏡３の前で自身の服装を鏡面に映している人物を撮影する“服装撮影モード”とその他のモードとの切り替えを行うモードキー（図示省略）を備えている。撮像部２６は、図示しないが、撮影レンズからの被写体像が撮像素子（ＣＣＤやＣＭＯＳなど）に結像されることにより被写体を高精細に撮像することが可能なもので、撮影レンズ、撮像素子、各種のセンサ、アナログ処理部、デジタル処理部を有している。通信部２７は、画像処理装置１との間での通信が可能な通信インターフェイスである。
【００１９】
図３は、服装データベース１３Ｂ、画像ファイル１３Ｃを説明するための図である。
服装データベース１３Ｂは、ユーザが過去に着用していた服装履歴に関する情報を記憶管理するもので、制御部１は、カメラ２によって撮影された人物画像を受信すると、その人物画像（服装画像）を基にその服装の履歴情報を生成して服装データベース１３Ｂに追加記憶するようにしている。服装履歴情報は、「服装ＩＤ」、「付加情報」、「着用回数」の各項目を有している。「服装ＩＤ」は、衣服を識別するための一連番号で、画像ファイル１３Ｃをアクセスする際には、この「服装ＩＤ」がリンク情報として使用される。画像ファイル１３Ｃは、「服装ＩＤ」を検索キーとして人物画像（服装画像：撮影済み画像）を記憶するファイルである。
【００２０】
「付加情報」は、服装画像に付加される各種の情報を示し、「撮影日時情報」、「人体形状情報」、「姿勢評価情報」、「境界線情報」の項目を有している。「撮影日時情報」は、カメラ２によって撮影された人物画像の撮影日時（年月日及び時分秒）であり、上述した所定の選択範囲（例えば、同一季節や同一期間内）を特定する際のキーとして使用される。「人体形状情報」は、人物画像から抽出した人体の輪郭（全体形状）をベクトル化した情報であり、後述する画像検索などの際に比較対象の領域を限定するために使用される。
【００２１】
「姿勢評価情報」は、撮影毎に服装の識別のしやすさを評価した情報である。すなわち、人物画像から抽出した人体形状に基づいて複数項目（体の向き、腕の開き具合）の評価を数値化した情報であり、後述する服装の傾向推定の際に各撮影画像の重み付けなどに使用される。「境界線情報」は、服装の模様を識別できるようにするために色の境界線を抽出した情報である。すなわち、人物画像から抽出した人体形状に基づいてその内側領域の色の値の差が所定の閾値以上となる境界線を抽出すると共に、この抽出した境界線をベクトル化した情報であり、後述する服装の傾向推定（模様推定）の際に使用される。なお、境界線は圧縮された撮影画像から抽出された色に基づき抽出するようにしているが、非圧縮のＲＡＷデータから抽出するようにしてもよい。「着用回数」は、同一の服装を着た回数（同じ服を撮影した回数）である。
【００２２】
次に、本実施形態における画像処理装置１、カメラ２の動作概念を図４〜図７に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体の他、伝送媒体を介して外部供給されたプログラム／データを利用して本実施形態特有の動作を実行することもできる。なお、図４は、カメラ２の全体動作のうち、本実施形態の特徴部分の動作概要を示したフローチャートであり、この図４のフローから抜けた際には、全体動作のメインフロー（図示省略）に戻る。また、図５、図７は、画像処理装置１の全体動作のうち、本実施形態の特徴部分の動作概要を示したフローチャートであり、この図５、図７のフローから抜けた際には、全体動作のメインフロー（図示省略）に戻る。
【００２３】
図４は、電源投入に応じて実行開始されるカメラ２側の動作を示し、主に服装撮影モードに切り替えられた場合の動作を示したフローチャートである。
まず、カメラ２の制御部２１は、撮影モードでなければ（ステップＡ１でＮＯ）、撮影済み画像の再生など、その他のモードに応じた処理に移るが、撮影モードであれば（ステップＡ１でＹＥＳ）、撮像部２６を起動して撮像動作を開始させる（ステップＡ２）。そして、服装撮影モードであるかを調べ（ステップＡ３）、服装撮影モードでなければ（ステップＡ３でＮＯ）、その他の撮影モードに応じた処理に移る。
【００２４】
いま、服装撮影モードであれば（ステップＡ３でＹＥＳ）、時計機能によって計時された現在日時と、予め任意に設定されている服装撮影時間帯（例えば、通勤時間帯又は通学時間帯若しくは在宅時間帯）とを比較し、現在日時が服装撮影時間帯に入っているかを調べる（ステップＡ４）。ここで、服装撮影時間帯から外れていれば（ステップＡ４でＮＯ）、服装撮影モードが解除されたかを調べる（ステップＡ１２）。ここで、服装撮影モードが解除されなければ（ステップＡ１２でＮＯ）、上述のステップＡ４に戻り、以下、服装撮影時間帯に到達するまで（ステップＡ４でＹＥＳ）、上述の動作を繰り返しながら待機状態となるが、服装撮影モードが解除されると（ステップＡ１２でＹＥＳ）、図４のフローから抜ける。
【００２５】
いま、服装撮影時間帯に入っている場合には（ステップＡ４でＹＥＳ）、撮像画像を取得（ステップＡ５）した後、スタンド型鏡３の前を撮像した画像を解析して（ステップＡ６）、スタンド型鏡３の前に人物が居るかを、公知の技術を使用して調べる（ステップＡ７）。ここで、人物が居なければ（ステップＡ７でＮＯ）、ステップＡ１２に移り、以下、スタンド型鏡３の前に人物が服装撮影時間帯内に出現するまで（ステップＡ７でＹＥＳ）、上述の動作を繰り返しながら待機状態となる。
【００２６】
ここで、スタンド型鏡３の前の人物を検出すると（ステップＡ７でＹＥＳ）、その人物を撮像した画像（人物画像）を画像処理装置１に送信する（ステップＡ８）。そして、画像処理装置１から撮影指示信号を受信したかを調べ（ステップＡ９）、撮影指示信号を受信しなければ（ステップＡ９でＮＯ）、ステップＡ１２に移り、服装撮影時間帯内であれば、逐次ステップＡ５〜Ａ１２の処理を繰り返すが、撮影指示信号を受信した場合には（ステップＡ９でＹＥＳ）、その撮像画像に対して現像などの撮影処理（ステップＡ１０）を施した後、その処理後の画像を撮影画像として画像処理装置１に送信する（ステップＡ１１）。その後、ステップＡ１２に移る。
【００２７】
図５は、カメラ２から撮像画像を受信する毎に実行開始される画像処理装置１側の動作を示したフローチャートである。
まず、画像処理装置１の制御部１１は、カメラ２から撮像画像（人物画像）を受信すると、その受信した画像を解析して（ステップＢ１）、画像内にユーザの全身が写っているか、つまり、手足や顔など、体の一部が画角からはみ出していないかを調べる（ステップＢ２）。いま、手足などがはみ出して全身が写っていなければ（ステップＢ２でＮＯ）、図５のフローから抜けるが、全身が写っていれば（ステップＢ２でＹＥＳ）、顔領域（顔画像）を特定し、予め登録されているユーザの顔画像及び顔の特徴情報を照合する公知の顔認識処理を行い（ステップＢ３）、その人物は登録されているユーザであるかを調べる（ステップＢ４）。いま、顔認識の結果、ユーザ本人でなければ（ステップＢ４でＮＯ）、図５のフローから抜けるが、ユーザ本人であれば（ステップＢ４でＹＥＳ）、人物の姿勢を評価する処理を行う（ステップＢ５）。なお、顔認識に限らず、例えば、虹彩認識などによってユーザ本人を確認するようにしてもよい。
【００２８】
すなわち、逐次受信した撮像画像（人物画像）が所定時間（例えば、１秒間）以上、略停止している状態であることを条件に、その受信した画像から、全身が写っているか否か調べるために人体の形状（アウトライン）を抽出すると共に、抽出した人体の形状をベクトル化して「人体形状情報」を生成する。この「人体形状情報」が服装データベース１３Ｂに記憶される付加情報となる。更に、抽出した人体の形状に基づいて複数項目（体の向き、腕の開き具合）の評価を数値化する処理を行う。ここで、複数項目のうちその一方の項目は、体の向きがより正面に近いかを評価したもので、人体の形状の左半分又は右半分を反転させて重ねた際（人体の形状を左右半分で折り畳んだ際）の左右の差を数値化した評価値である。他方の項目は、胴体に腕が重なっていない場合の腕の開き具合を評価したもので、脇下の角度（体側と肘との間の角度）を数値化した評価値である。このように複数項目（体の向き、腕の開き具合）の各評価値が服装データベース１３Ｂに記憶される「姿勢評価情報」となる。
【００２９】
次に、制御部１１は、上述のステップＢ５で特定した人体の形状から服装を識別するのに適切な服装画像を取得するのに適切なタイミングであるか否かを判別し、適切なタイミングであると判別した際には、カメラ２によって撮影された画像（服装画像）を取得して記録する処理を行う（ステップＢ６〜Ｂ１０）。まず、上述した複数項目（体の向き、腕の開き具合）の各評価値と所定の閾値とを比較し、その比較結果に基づいて、服装を識別するのに適切なタイミング（撮影タイミング）であるか否かを判別する（ステップＢ６）。
【００３０】
すなわち、体の向きの評価値（人体の形状を左右半分で折り畳んだ際の左右の差）が小さくて所定の閾値未満であること（服装を容易に識別できるためにスタンド型鏡３に対して真正面又に正対した姿勢又はそれに近い姿勢であること）、及び腕の開き具合の評価値（脇下の角度）が所定の閾値（例えば、２０°）に近いこと（服装を容易に識別できると共に、レコメンド商品の試着（オーバーレイ表示）が容易となる姿勢であること）を条件に、撮影タイミングであると判断する。いま、複数項目の評価値がその条件を満たさなければ、撮影に適していない姿勢（服装を識別するのに適していない姿勢）であるので撮影タイミングではないと判断して（ステップＢ６でＮＯ）、図５のフローから抜けるが、撮影に適した姿勢（服装を識別するのに適切な姿勢）、つまり、撮影タイミングになった場合には（ステップＢ６でＹＥＳ）、露出度判定処理に移る（ステップＢ７〜Ｂ９）。
【００３１】
この露出度判定処理（ステップＢ７〜Ｂ９）は、下着姿などのように撮影されたくない姿で撮影されてしまう可能性を防ぐために肌の露出度を判定する処理であり、まず、制御部１１は、受信した画像内の顔領域を特定して、その顔領域内の平均色をその“人物の肌色”として取得する（ステップＢ７）。そして、受信した画像内の人体領域を特定し、この人体領域の中からその“人物の肌色”の比率（露出度）を算出し（ステップＢ８）、その肌色比率（露出度）が閾値（例えば、５０％）未満であるかを調べる（ステップＢ９）。ここで、肌色比率が閾値以上であれば（ステップＢ９でＮＯ）、例えば、下着姿であったり、裸であったりする可能性が高く、撮影に適した服装ではないので、撮影を禁止するために図５のフローから抜けるが、肌色比率が閾値未満であれば（ステップＢ９でＹＥＳ）、撮影に適した服装であると判断して、画像取得記録処理（ステップＢ１０）に移る。
【００３２】
図６は、画像取得記録処理（図５のステップＢ１０）を詳述するためのフローチャートである。
まず、画像処理装置１の制御部１１は、受信した画像から生成した「人体形状情報」に基づいて、複数の画像ファイル１３Ｃをアクセスし、その人体領域内の画像の類似度を評価しながら受信した画像と服装が同一又は略同一の撮影済み画像を検索する（ステップＣ１）。この場合、時計機能によって計時された現在日付に基づいて服装データベース１３Ｂの「撮影日時情報」を参照し、例えば、同一季節内又は同一期間内の「服装ＩＤ」を検索範囲として特定し、この検索範囲に該当する画像ファイル１３Ｃの中から同一の服装の撮影済み画像を検索する。
【００３３】
その結果、受信した画像と服装が同一又は略同一の撮影済み画像が存在していなければ（ステップＣ２でＮＯ）、ステップＣ５に移り、受信した画像に基づいて画角、露出などの撮影条件を決定してカメラ２に送信する。例えば、受信した画像内の人物の大きさなどから適正画角となるような撮影条件を決定すると共に、逆光状態を判定し、逆光があれば、人体領域が適正露出となるような露出値を決定し、更に彩度／コントラストを強調する撮影条件を決定して、カメラ２に送信する。このように人物の顔よりもその服装の特徴を強調することを優先するために、露出、彩度、コントラストなどの撮影条件を決定する。なお、逆光状態の判定は公知技術であるので、その説明は省略するものとする。
【００３４】
次に、カメラ２に対して静止画の撮影指示信号を送信（ステップＣ６）した後、カメラ２から撮影画像（現像処理後の画像：静止画像）を受信する（ステップＣ７）。そして、受信した撮影画像を新規登録するために、新たな服装ＩＤを生成すると共に、この新たな服装ＩＤに対応付けた画像ファイル１３Ｃを生成して記憶する（ステップＣ８）。次に、服装の模様を識別できるようにするために境界線抽出処理を行って境界線抽出情報を生成する（ステップＣ９）。すなわち、上述のように抽出した人体形状の内側領域の色の値の差が所定の閾値以上となる境界線を抽出すると共に、抽出した境界線をベクトル化して境界線情報を生成する。そして、上述のように生成した各種の付加情報「人体形状情報」、「姿勢評価情報」、「境界線情報」を、新規生成した服装ＩＤに対応付けて服装データベース１３Ｂに追加記憶する（ステップＣ１０）。そして、服装データベース１３Ｂ内の「着用回数」を更新するが（ステップＣ１１）、この場合、画像の新規登録時であるので「着用回数」の値を初期値“１”とする。その後、図６のフローから抜ける。
【００３５】
一方、受信した画像と服装が同一又は略同一の撮影済み画像が存在していれば（ステップＣ２でＹＥＳ）、今回受信した画像の「姿勢評価情報」と同一の服装の撮影済み画像の「姿勢評価情報」とを比較し、今回の評価値の方が高いかを調べる（ステップＣ３）。いま、今回の評価値の方が高ければ（ステップＣ３でＹＥＳ）、画像を置き換るために、その同一の服装の撮影済み画像（画像ファイル１３Ｃ）を削除すると共に、その画像ファイル１３Ｃの「服装ＩＤ」に該当する服装データベース１３Ｂの「付加情報」のみを削除する（ステップＣ４）。
【００３６】
そして、上述した新規登録時と同様に、画角、露出などの撮影条件を決定してカメラ２に送信（ステップＣ５）すると共に、撮影指示信号を送信する（ステップＣ６）。その後、カメラ２から撮影画像（現像処理後の画像）を受信すると（ステップＣ７）、上述の削除画像の「服装ＩＤ」に対応付けて今回受信した撮影画像を画像ファイル１３Ｃとして記憶することにより画像の置き換えを行う（ステップＣ８）。そして、服装の模様を識別できるようにするために境界線抽出処理を行って境界線抽出情報を生成（ステップＣ９）した後、上述の付加情報「人体形状情報」、「姿勢評価情報」、「境界線情報」を、その服装ＩＤに対応付けて服装データベース１３Ｂに記憶させることにより付加情報の置き換えを行う（ステップＣ１０）。そして、その服装ＩＤに対応する服装データベース１３Ｂ内の「着用回数」を更新するが（ステップＣ１１）、この場合、「着用回数」の値に“１”を加算する。その後、図６のフローから抜ける。
【００３７】
他方、今回の画像の「姿勢評価情報」と同一の服装の画像の「姿勢評価情報」とを比較した結果、今回の評価値の方が高くなければ（ステップＣ３でＮＯ）、同一服装の画像を新たに取得することに代えて、その撮影済みの画像を撮影した日付とは異なる日にその服装がされたことを記憶する処理を行う（ステップＣ１２）。すなわち、その撮影済み画像の「服装ＩＤ」に対応付けられている服装データベース１３Ｂ内の「撮影日時情報」を現在日時に書き換える。そして、服装データベース１３Ｂ内の「着用回数」の値に“１”を加算してその値を更新（ステップＣ１１）した後、図６のフローから抜ける。
【００３８】
図７は、ユーザの好みにあった衣服を推薦するレコメンド要求キー（操作部１４）が操作された際に画像処理装置１側で実行開始されるフローチャートである。
まず、画像処理装置１の制御部１１は、ユーザが過去に着用した服装の撮影画像として、の複数の画像ファイル（撮影済み画像）１３Ｃを参照して、ユーザの服装の傾向（例えば、ユーザの好み）を推定する処理を行う（ステップＤ１〜Ｄ４）。すなわち、現在日付に基づいて推定範囲（例えば、同一季節や同一期間内）を特定し（ステップＤ１）、服装データベース１３Ｂの「撮影日時情報」を参照して、この推定範囲に該当する撮影済み画像の枚数を計数し、ユーザの服装の傾向を推定するのに必要な一定量以上の枚数か（所定の閾値以上か）を調べる（ステップＤ２）。
【００３９】
ここで、撮影済み画像の枚数が閾値未満であれば（ステップＤ２でＮＯ）、服装の傾向を推定することが困難である旨のエラーメッセージを表示（ステップＤ３）させて、図７のフローから抜けるが、その枚数が閾値以上であれば（ステップＤ２でＹＥＳ）、ユーザの服装の傾向を推定する傾向推定処理に移る（ステップＤ４）。この傾向推定処理（ステップＤ４）は、推定範囲に該当する各撮影済み画像と、服装データベース１３Ｂの「着用回数」、「姿勢評価情報」を参照することによってユーザの服装の傾向を推定する処理である。例えば、着用回数が多い場合にはその服装、同系色の服装が多い場合にはその色の服装、特定種類の服装が多い場合にはその種類の服装をユーザの好みの傾向として推定する。この場合、例えば、上半身の服装（シャツ、上着など）と下半身の服装（ズボン、スカートなど）を識別しながら推定処理を行い、上半身、下半身別にユーザの好みの傾向を推定するようにしている。なお、「姿勢評価情報」は、傾向推定の際に各撮影済み画像の重み付けとして使用される。
【００４０】
次に、インターネットを介して特定サイトに接続し（ステップＤ５）、この特定サイトがＷｅｂ上で公開している各種の商品（衣服）の中からユーザの好みに合った衣服を選択する処理を行う（ステップＤ６）。この場合、ユーザの好みの傾向を示す情報（例えば、白色系のＴシャツ、黒色系のジーンズなど）を特定サイトに送信すると共に、同一季節や同一期間内に該当する複数の衣服の中からユーザの傾向に合った衣服（例えば、白色系のＴシャツ、黒色系のジーンズなど）を上半身、下半身別にレコメンド商品として選択する。そして、上半身及び下半身別に１商品又は複数商品をレコメンド商品として選択して、各商品の画像をダウンロードする。図８（１）は、特定サイトがＷｅｂ上で公開している各種の商品（上半身及び下半身別の衣服）を例示したもので、図示の例では、ユーザの好みに合った衣服として品番“００００１”のＴシャツと、“１０１００”のスカートがレコメンド商品として選択された場合を示している。
【００４１】
そして、ダウンロードしたレコメンド商品に基づいて画像生成処理（ステップＤ７）、表示制御処理を行い（ステップＤ８）、ユーザがレコメンド商品を実際に試着しているようにユーザの人物画像にレコメンド商品の画像をオーバーレイ表示させる。この場合、人物画像（撮影済み画像）は、オーバーレイ表示に相応しい姿勢、つまり、スタンド型鏡３に対して理想的には正対した姿勢であり、かつ、レコメンド商品の試着（オーバーレイ表示）が容易となる姿勢であるために、レコメンド商品の画像を人物画像の大きさ及び形状に応じて拡大／縮小したり、変形したりすることが容易となる。例えば、人物画像の顔領域を検出し、その領域から顔の大きさを特定し、顔の大きさから胴幅を推定すると共に、この胴幅の大きさに合わせてオーバーレイ画像を拡大／縮小、変形してオーバーレイ表示することができるようになる。
【００４２】
図８（２）は、図８（１）に示すようにレコメンド商品として選択された衣服の画像をユーザの人物画像にオーバーレイ表示させた状態を例示した図である。なお、レコメンド商品として上半身、下半身別に複数商品が選択された場合には、上半身、下半身を指定するキーと、次のレコメンド商品への切り替えを指示するキーが操作されることにより、上半身、下半身別に、次のレコメンド商品への切り替え表示を可能としている。また、このようなオーバーレイ表示（試着）を行った結果、購入希望の商品でなければ、再度、レコメンド要求キーを操作すると、レコメンド要求キーの再操作により前回のレコメンド商品とは異なるレコメンド商品が次候補として選択されてオーバーレイ表示される。この場合、レコメンド商品の内容を詳細に説明するメッセージを併せて表示するようにしてもよい。
【００４３】
以上のように、本実施形態において画像処理装置１は、人物の撮影画像を服装画像として取得し、取得した複数の服装画像を参照してその人物の服装の傾向を推定し、この服装の傾向に基づき、複数の衣服の中からその人物に関する衣服を選択し、選択した衣服の情報を出力するようにしたので、人物を撮影した画像を基に手間をかけずにその物の傾向に合った衣服を探して案内することができる。
【００４４】
画像処理装置１は、カメラ２により撮影された人物の画像から服装画像を取得するようにしたので、人物の傾向に合った衣服を選択する場合に、新たに撮影された画像を含む複数の服装画像を参照して服装の傾向を推定することができる。
【００４５】
画像処理装置１から分離されたカメラ２は、人物の外出着を撮影可能な位置に設置されているので、おしゃれ感覚の強い外出着の好みを推定することができる。
【００４６】
画像処理装置１は、人物の服装の特徴を強調するようにカメラ２を制御して服装画像を取得するようにしたので、服装画像の比較が容易となる。
【００４７】
画像処理装置１は、人物の顔よりもその服装の特徴の強調を優先するように撮影条件を決定してカメラ２に送信するようにしたので、服装画像の比較が容易しなる。
【００４８】
画像処理装置１は、撮影される画像の彩度又はコントラストが高くなるように撮影条件を決定してカメラ２に送信するようにしたので、逆光などのように撮影環境が悪い場合に、服装の差異を強調し識別がしやすくなるような撮影条件を決定することができ、撮影環境が悪くてもそれに影響されない良好な服装画像を得ることが可能となる。
【００４９】
画像処理装置１は、カメラ２によって撮像された画像から人体の形状を特定し、この特定した人体の形状から服装の識別に適切な服装画像を取得するのに適切なタイミング（撮影タイミング）であるか否かを判別し、適切なタイミングであると判別されたタイミングで服装画像を取得するようにしたので、服装の識別が容易となる。
【００５０】
画像処理装置１は、人体の形状からその胴体に腕が重なっていないと判定される場合に、適切なタイミング（撮影タイミング）であると判別するようにしたので、例えば、レコメンド商品の試着（オーバーレイ表示）が容易となる姿勢のときに撮影された画像を得ることができる。
【００５１】
画像処理装置１は、人体の形状が正面を向いていると判定される場合に、適切なタイミングであると判別するようにしたので、例えば、スタンド型鏡３に対して真正面に正対した姿勢又はそれに近い姿勢であるタイミングでカメラ２に撮影指示を送信することができ、その姿勢で撮影された画像を得ることができる。
【００５２】
画像処理装置１は、撮像画像から人体の領域を特定し、特定した人体の領域における肌色である領域の比率を算出すると共に、算出した肌色領域の比率が所定の閾値以上である場合に、服装画像を取得しないようにしたので、肌色である領域の比率（肌の露出度）に応じて下着姿などであるかを判別することができ、露出度の高い下着姿のように撮影に適した服装ではない場合には撮影を禁止することができる。
【００５３】
画像処理装置１は、撮像された画像から人体の顔領域を特定し、その人体の顔領域から肌色を特定し、その特定された肌色を使用して、人体の領域における肌色である領域の比率を算出するようにしたので、実際の顔の肌色からその人体全体の肌の露出度を正確に算出することが可能となる。
【００５４】
画像処理装置１は、撮像された人物の服装が、撮影済みの画像の服装と一致するか否かを判別し、服装が一致する場合に、その服装の画像を取得することに代えて、撮影済みの画像を撮影した日付とは異なる日にその服装がされたことを記憶するようにしたので、服装が一致する画像を重複して記憶しなくても最新の服装日時を記憶することができる。
【００５５】
画像処理装置１は、撮像された人物の画像を評価して、服装の差異を判定するのに適している度合いを求めておき、撮像された人物の服装が撮影済みの画像の服装と一致する場合に、各画像の評価を比較して、撮影済みの画像よりも今回の画像の方が高い場合は、今回の画像を撮影して、撮影済み画像と置き換えるようにしたので、より評価の高い画像に撮影済み画像を更新することができる。
【００５６】
画像処理装置１は、撮像された人物の画像を評価して、服装の差異を判定するのに適している度合いを更に取得するようにしたので、撮影済みの画像に対応付けてその評価を付加情報として記憶することができる。
【００５７】
画像処理装置１は、撮像された画像から衣服の領域を特定し、特定した衣服の領域において色が異なると判別される境界線を抽出し、この抽出した境界線に係る情報を更に取得するようにしたので、撮影済みの画像に対応付けてその境界線に係る情報を付加情報として記憶することができ、服装の模様推定に利用することが可能となる。
【００５８】
画像処理装置１は、予め任意に設定されている所定の選択範囲にある複数の衣服の中からその人物に関する衣服を選択するようにしたので、例えば、同一季節や同一期間内の複数の衣服の中から衣服を選択することができ、衣服の選択が迅速かつ確実なものとなる。
【００５９】
画像処理装置１は、服装の傾向に基づき複数の衣服の中から選択した衣服の情報を出力する場合に、その衣服の画像を人物の画像に合成し、その合成画像を表示するようにしたので、実際に衣服を試着しているような表示が可能となる。
【００６０】
なお、上述した実施形態においては、撮影タイミングを検出する毎に静止画を撮影するようにしているが、これに限らず、例えば、常時、動画を撮影している状態において、撮影タイミングを検出したときに撮影した動画に撮影タイミングを示す情報を付加しておき、後で（例えば、人物の就寝時間帯や傾向推定処理時など）でその撮影動画から静止画を生成するようにしてもよい。
【００６１】
上述した実施形態においては、人物の全身を撮影した画像を服装画像として記憶するようにしたが、例えば、人物画像から人体形状を抽出する際に、更に、服装領域を抽出して付加情報（服装領域情報）としてもよい。このように服装領域を抽出して記憶しておくことにより、撮影済み画像の検索や境界線抽出時に服装領域情報を使用するようにすれば、より精度が高まり、高速化が可能となる。
【００６２】
また、撮影時に撮像画像の色情報を取得し、赤青黄などの色の分類毎の人体形状領域（服装領域）に対する面積の比率を算出して、付加情報（色分類情報）としてもよい。この色分類情報を傾向推定時に使用するようにすれば、より精度が高まり、高速化が可能となる。
【００６３】
上述した実施形態においては、人物の全身を撮影するようにしたが、撮像対象は、上半身のみ、下半身のみであってもよい。この場合の傾向推定処理は、上半身の衣類、下半身の衣類のみが対象となる。上述した実施形態においては、図５のステップＢ２で全身が写っているか否かを調べるようにしているが、この場合は、上半身が写っているか、或いは下半身が写っているかを調べるようにすればよい。
【００６４】
上述した実施形態においては、人物画像からその上半身、下半身の衣服を識別するようにしたが、重ね着（例えば、シャツとベスト、半袖の下の長袖のアンダーシャツ）やアクセサリを識別するようにしてもよい。この重ね着やアクセサリを含めて傾向推定処理を行うようにしてもよい。
【００６５】
上述した実施形態においては、ユーザ本人を認識して自身の服装の傾向を推定するようにしたが、家族の個々を認識して、家族個々の服装の傾向を推定するようにしてもよい。
【００６６】
上述した実施形態においては、上述した実施形態においては、画像処理装置１に別体のカメラ２を備えたが、カメラ２を備えず、服装画像を外部装置から受信取得したり、可搬型メモリ（記録メディア）から読み出し取得したりするようにしてもよい。
【００６７】
上述した実施形態においては、表示部１５にレコメンド商品を案内表示するようにしたが、レコメンド商品の出力先は、外部装置（例えば、テレビ画面）であってもよい。また、レコメンド商品の内容を詳細に説明する音声メッセージを併せて出力するようにしてもよい。更に、出力手段は、表示に限らず、レコメンド商品を印刷出力するようにしてもよい。
【００６８】
上述した実施形態においては、カメラ２をスタンド型鏡３に装着した場合を例示したが、例えば、クローゼットの扉、玄関などに設置するようにしてもよく、また、パーソナルコンピュータのＵＳＢカメラであってもよい。また、カメラの設置場所は複数箇所でもよく、玄関で撮影された服装を外出着とみなし、他のカメラで撮影された外出着以外の服装を部屋着とみなすといった処理を行うようにしてもよい。このように、カメラ２を異なる複数の場所に設置する場合には、服装データベース１３Ｂの付加情報にどの位置に設置されているかも合わせて記録するようにすることで、図７のステップＤ４で行う傾向推定処理の精度を高めることができる。
【００６９】
上述した実施形態においては、インターネットに接続し、ＥＣサイトがＷｅｂ上で公開している衣服）の中からユーザの好みに合った衣服を選択するようにしたが、可搬型メモリ（記録メディア）などに記憶されている各種の衣服商品の中からユーザの好みに合った衣服を選択するようにしてもよい。
【００７０】
また、選択する衣服は商品に限らず、友人、家族などが所有している衣服の中からユーザの好みに合った衣服を選択するようにしてもよい。この場合、友人、家族は、インターネットを介して自己が所有する衣服の画像を任意のサイトに登録しておけばよい。
【００７１】
上述した実施形態においては、図５に示したようにユーザの全身が写っていない場合や姿勢の評価が悪い場合には、撮影を行わないようにしたが、その旨をユーザに報知してから撮影を行わないようにしてもよい。
【００７２】
また、上述した実施形態においては、画像処理装置１として、パーソナルコンピュータ（ＰＣ）又は多機能携帯端末装置（スマートフォン）に適用した場合を示したが、これに限らず、例えば、撮像装置（デジタルカメラ）、ＰＤＡ（個人向け携帯型情報通信機器）、タブレット端末装置、電子ゲームなどであってもよい。
【００７３】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７４】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
人物の撮影画像を服装画像として取得する取得手段と、
前記取得手段により取得された複数の服装画像を参照してその人物の服装の傾向を推定する推定手段と、
前記推定手段により推定された人物の服装の傾向に基づき、複数の衣服の中からその人物に関する衣服を選択する選択手段と、
前記選択手段により選択された衣服の情報を出力する出力手段と、
を備えることを特徴とする画像処理装置である。
（請求項２）
請求項２に記載の発明は、請求項１に記載の画像処理装置において、
撮像手段を更に備え、
前記取得手段は、前記撮像手段により撮影された人物画像を服装画像として取得する、
ことを特徴とする。
（請求項３）
請求項３に記載の発明は、請求項２に記載の画像処理装置において、
前記撮像手段は、人物の外出着を撮影可能な位置に設置されている、
ことを特徴とする。
（請求項４）
請求項４に記載の発明は、請求項２又は３に記載の画像処理装置において、
前記取得手段は、人物の服装の特徴を強調するように前記撮像手段を制御して服装画像を取得する、
ことを特徴とする。
（請求項５）
請求項５に記載の発明は、請求項４に記載の画像処理装置において、
前記取得手段は、人物の顔よりその服装の特徴の強調を優先するように、前記撮像手段を制御して服装画像を取得する、
ことを特徴とする。
（請求項６）
請求項６に記載の発明は、請求項５に記載の画像処理装置において、
前記取得手段は、撮影される画像の彩度又はコントラストが高くなるように、前記撮像手段を制御して服装画像を取得する、
ことを特徴とする。
（請求項７）
請求項７に記載の発明は、請求項２又は３に記載の画像処理装置において、
前記撮像手段により撮像された画像から人体の形状を特定し、この特定した人体の形状から服装の識別に適切な服装画像を取得するのに適切なタイミングであるか否かを判別するタイミング判別手段を更に備え、
前記取得手段は、前記タイミング判別手段により適切なタイミングであると判別されたタイミングで服装画像を取得する、
ことを特徴とする。
（請求項８）
請求項８に記載の発明は、請求項７に記載の画像処理装置において、
前記タイミング判別手段は、前記特定した人体の形状からその胴体に腕が重なっていないと判定される場合に、適切なタイミングであると判別する、
ことを特徴とする。
（請求項９）
請求項９に記載の発明は、請求項７に記載の画像処理装置において、
前記タイミング判別手段は、前記特定した人体の形状が正面を向いていると判定される場合に、適切なタイミングであると判別する、
ことを特徴とする。
（請求項１０）
請求項１０に記載の発明は、請求項２又は３に記載の画像処理装置において、
前記撮像手段により撮像された画像から人体の領域を特定し、特定した人体の領域における肌色である領域の比率を算出する算出手段を更に備え、
前記取得手段は、前記算出手段により算出される肌色領域の比率が所定の閾値以上である場合に、服装画像を取得しない、
ことを特徴とする。
（請求項１１）
請求項１１に記載の発明は、請求項１０に記載の画像処理装置において、
前記算出手段は、前記撮像手段により撮像された画像から人体の顔領域を特定し、その人体の顔領域から肌色を特定し、その特定された肌色を使用して、人体の領域における肌色である領域の比率を算出する、
ことを特徴とする。
（請求項１２）
請求項１２に記載の発明は、請求項２又は３に記載の画像処理装置において、
前記撮像手段により撮像された人物の服装が撮影済みの画像の服装と一致するか否かを判別する一致判別手段を更に備え、
前記取得手段は、前記一致判別手段により撮影済みの画像と服装が一致すると判別された場合に、その服装画像を取得することに代えて、撮影済みの画像を撮影した日付とは異なる日にその服装がされたことを記憶する、
ことを特徴とする。
（請求項１３）
請求項１３に記載の発明は、請求項２又は３に記載の画像処理装置において、
前記撮像手段により撮像された人物の画像を評価して、服装の差異を判定するのに適している度合いを求める評価手段を更に備え、
前記取得手段は、前記一致判別手段により撮影済みの画像と一致すると判別された場合に、前記評価手段により評価された度合いを比較して、撮影済みの画像よりも今回の画像の方が高い場合は、今回の画像を撮影して、撮影済み画像と置き換える、
ことを特徴とする。
（請求項１４）
請求項１４に記載の発明は、請求項２又は３に記載の画像処理装置において、
前記撮像手段により撮像された人物の画像を評価して、服装の差異を判定するのに適している度合いを求める評価手段を更に備え、
前記取得手段は、前記評価手段により評価された度合いを更に取得する、
ことを特徴とする。
（請求項１５）
請求項１５に記載の発明は、請求項２又は３に記載の画像処理装置において、
前記撮像手段により撮像された画像から衣服の領域を特定し、特定した衣服の領域において色が異なると判別される境界線を抽出する抽出手段を更に備え、
前記取得手段は、前記抽出手段により抽出された境界線に係る情報を更に取得する、
ことを特徴とする。
（請求項１６）
請求項１６に記載の発明は、請求項１乃至１５のいずれか１項に記載の画像処理装置において、
前記選択手段は、予め任意に設定されている所定の選択範囲にある複数の衣服の中からその人物に関する衣服を選択する、
ことを特徴とする。
（請求項１７）
請求項１７に記載の発明は、請求項１乃至１６のいずれか１項に記載の画像処理装置において、
前記出力手段は、前記選択手段により選択された衣服の情報として、その衣服の画像を人物の画像に合成し、その合成画像を表示手段に出力する、
ことを特徴とする。
（請求項１８）
請求項１８に記載の発明は、
画像処理装置における画像処理方法であって、
人物の撮影画像を服装画像として取得する処理と、
前記取得された複数の服装画像を参照してその人物の服装の傾向を推定する処理と、
前記推定された人物の服装の傾向に基づき、複数の衣服の中からその人物に関する衣服を選択する処理と、
前記選択された衣服の情報を出力する処理と、
を含むことを特徴とする。
（請求項１９）
請求項１８に記載の発明は、
画像処理装置のコンピュータに対して、
人物の撮影画像を服装画像として取得する機能と、
前記取得された複数の服装画像を参照してその人物の服装の傾向を推定する機能と、
前記推定された人物の服装の傾向に基づき、複数の衣服の中からその人物に関する衣服を選択する機能と、
前記選択された衣服の情報を出力する機能と、
を実現させるためのプログラムである。
【符号の説明】
【００７５】
１  画像処理装置
２  カメラ
３  スタンド型鏡
１１、２１  制御部
１３、２３  記憶部
１４  操作部
１５  表示部
１６、２７  通信部
１３Ａ  プログラムメモリ
１３Ｂ  服装データベース
１３Ｃ  画像ファイル
２６  撮像部
【図１】
2017076315.tif 000003
【図２】
2017076315.tif 000004
【図３】
2017076315.tif 000005
【図４】
2017076315.tif 000006
【図５】
2017076315.tif 000007
【図６】
2017076315.tif 000008
【図７】
2017076315.tif 000009
【図８】
2017076315.tif 000010